(57)【要約】　　　（修正有）【課題】植物屑の粉砕片に十分に発酵菌を混合する装置をより簡単な装置とし、トラックの荷台に設置可能な構造とする。【解決手段】植物破裁屑処理装置は、破砕部１と貯蔵部７との間に菌付着部８を設け、破砕した植物屑を搬送しながら発酵菌を付着させるようにしているため、破砕片の表面に確実に発酵菌が付着し、発酵が短時間に確実に進行するとともに全体の構成が簡単になる。【選択図】図１
0003100528.tif 000002
【実用新案登録請求の範囲】
【請求項１】
　被破裁植物を破裁する破裁部と、前記破裁部によって砕片となった被破裁植物を風力搬送する送風部と、風力搬送された砕片を貯蔵する貯蔵庫と、前記送風部と貯蔵庫との間を連通する管路とを有し、砕片に発酵菌を付着させる菌付着部を前記管路の途中に設けたことを特徴とする植物破裁屑処理装置。
【請求項２】
　破裁部と送風部とが一体である請求項１記載の植物破裁屑処理装置。
【請求項３】
　貯蔵庫から送風部へ空気を返す帰還路を設けた請求項１記載の植物破裁屑処理装置。
【請求項４】
　管路は貯蔵庫以外へ連通可能に構成された請求項１記載の植物破裁屑処理装置。
【請求項５】
　構成部材が車両に搭載されている請求項１記載の植物破裁屑処理装置。
【請求項６】
　車両はトラックである請求項５記載の植物破裁屑処理装置。
【請求項７】
　車両は無限軌道車である請求項５記載の植物破裁屑処理装置。
【考案の詳細な説明】
【技術分野】
【０００１】　本考案は、発酵処理が容易な植物破裁屑処理装置に関するものである。
【背景技術】
【０００２】　植木の剪定作業で出てくる枝や葉あるいは雑草の刈り払い作業によって出てくる植物屑を従来は焼却処分にしていたが、ダイオキシンの発生などの問題があり焼却処分が困難になっている。このため植物屑を破裁装置で粉砕し、これに発酵菌をかけて発酵処分する処理方法が普及している。この処分によると、ダイオキシンなどの発生の問題がなく、焼却灰の処分も必要でなく、さらに発酵した破裁物が肥料として使用可能であり、植物の有機栽培にも寄与するという多くの利点がある。【０００３】　しかし、破裁した植物屑と発酵菌とを十分に混ぜないと発酵むらが発生し、肥料として使用が困難になるという問題があった。特に並木などの剪定を行うと一度に数トンもの植物屑が生じ、この多量の植物屑を粉砕した破裁物と発酵菌との混合は困難であった。このため従来は、地面に穴を掘りその中に破裁物を入れ発酵菌をかけてパワーショベルで破砕物と発酵菌とを掻き混ぜ、混合するようにしていた。あるいは平地に積み上げ、上から発酵菌を振り掛けていた。【０００４】　このような方法では植物屑の破砕物と発酵菌との混合を十分に行うのは困難であった。またパワーショベルのような重機を必要とするため費用も多く要し、重機の運転に大型特殊の運転免許者も必要としていた。さらに平地で野積する場合には、多くの面積を必要とし、場合によっては悪臭が発生するなどの問題もあった。【０００５】　この改善策として、特許文献１に開示されるように有機廃棄物とバクテリアとをホッパーに投入し、このホッパー内に攪拌機を設け、有機廃棄物とバクテリアとを混合するようにしたものが開発された。
【特許文献１】特許２９７８１２８号公報
【考案の開示】
【考案が解決しようとする課題】
【０００６】　以上のような特許文献１に開示された技術は、有機廃棄物とバクテリアとを混合についてはかなり改善されているのであるが、解決しようとする問題点はさらに十分に混合を行いたいという点と、より粉砕しながら菌を付着させるという簡単な装置としトラックの荷台に設置できるようにしたいという点である。
【課題を解決するための手段】
【０００７】　本考案は、破砕部と貯蔵部との間に菌付着部を設け、破砕した植物屑を搬送しながら発酵菌を付着させるようにすることを最も主要な特徴とする。
【考案の効果】
【０００８】　本考案の植物破裁屑処理装置は、破砕部と貯蔵部との間に菌付着部を設け、破砕した植物屑を搬送しながら発酵菌を付着させるようにしているため、破砕片の表面に確実に発酵菌が付着し、発酵が短時間に確実に進行するという利点がある。【０００９】　さらに粉砕と発酵菌の付着作業とが同時に行え、輸送の途中にも貯蔵庫内で発酵が進むという利点がある。しかも貯蔵庫から送風部へ空気を返す帰還路を設けたため送風部の発生する騒音が外部に漏れず静粛性が高いため住宅地域でも使用が可能である。また管路を貯蔵庫以外へ連通可能にしているため、例えばトラックの荷台に連通すると発酵菌の付着した破砕片をトラックの荷台に直接載せることができる。【００１０】　破砕部から送られた空気が貯蔵庫に入り再び破砕部に戻るため、その循環に伴って空気の温度は次第に上昇し、貯蔵庫内の温度も上昇するため発酵菌の繁殖が促進され、貯蔵庫内で破砕片の発酵が進む。
【考案を実施するための最良の形態】
【００１１】　破砕片に確実に発酵菌を付着させ、短時間で確実に発酵させるという目的を、簡単な構成で、安価に実現した。
【実施例１】
【００１２】　図１は、本考案装置の１実施例の断面図である。１は破砕部でありハウジング２の中に破砕歯３が設けられている。この破砕歯３は油圧モータ４によって高速回転し、固定歯５と協働して投入された枝や木の葉などの植物屑を破砕する。また破砕歯３はブロア羽根の作用も有するものであり、高速空気流も発生する。【００１３】　６は供給管であり、破砕部１と貯蔵庫７との間を連通するものであり、この中を破砕部１で粉砕された破砕片が破砕歯３で発生した高速空気流によって通過し、貯蔵庫７へと送られる。また供給管６の上端は貯蔵庫７へ単に挿入されているだけであり、容易に貯蔵庫７より外すことができる。しかも貯蔵庫７から上端を外した状態で供給管６は回動可能である。【００１４】　８は菌付着部であり、詳細は図２に示す。この菌付着部８は供給管６の途中にノズル９が設けられたもので、このノズル９は菌タンク１０から延びた可撓管１１と連通している。つまり、菌タンク１０と菌付着部８とは可撓管１１を介して連通している。ここで可撓管１１とは、シリコン樹脂、ポリエチレンあるいは軟質塩化ビニルでできたパイプである。【００１５】　１２は戻し管であり、貯蔵庫７から空気を破砕部１に戻すものである。つまり破砕部１の破砕歯３で発生した高速空気は供給管６を通って貯蔵庫７へ流れ、貯蔵庫７から再び破砕部１へ戻る。そして以上全ての構成部材は図１に示すようにトラック１３に搭載されている。この場合は破砕作業が終了して移動する間に破砕片の発酵が進み、時間や手間の節減に寄与する。【００１６】　本考案の植物破裁屑処理装置は以上のような構成であり、以下その動作について説明を行う。先ず破砕部１を動作させる。つまり油圧モータ４によって破砕歯３を高速回転させ、ハウジング２の中に剪定屑や刈り取った雑草等を投入する。破砕歯３と固定歯５とが協働して投入された枝や木の葉などの植物屑を破砕する。【００１７】　破砕された植物屑は破砕片となって、破砕歯３の発生する高速空気流によって供給管６を通過し、貯蔵庫７へ送られる。この時、供給管６内には高速空気流が流れているため、菌付着部８のノズル９部分では負圧が発生する。つまりノズル９の前面に高速空気流が流れ、ベルヌーイの定理によってノズル９内が負圧になる。【００１８】　これによって可撓管１１内も負圧になり、菌タンク１０内の菌液が吸い上げられて菌付着部８内に霧状に供給される。ここを植物屑の破砕片が通過するため、破砕片には万遍なく菌液が付着する。菌液の付着した破砕片は貯蔵庫７へと送られる。【００１９】　破砕片とともに貯蔵庫７へ送られた高速空気流は貯蔵庫７内で流速が一旦落ち、再び高速空気流となって戻し管１２を通って破砕部１へ戻る。この空気の循環によって破砕部１で発生した騒音は外に漏れず、また空気の温度が次第に上昇するため、貯蔵庫７内の破砕片の温度も上昇し、菌の活動が活発になって、発酵が促進される。【００２０１】　以上の実施例の他に図３に示すように、本考案の植物破裁屑処理装置の横にトラック１４をつけ、供給管６の上端を貯蔵庫７より外して供給管６の上端をトラック１４の荷台の上方に位置させて、植物破裁屑処理装置を動作させると破砕片はトラック１４の荷台に放出される。【００２２】　また他の実施例として、図４に示すように本考案の植物破裁屑処理装置を無限軌道車１５の荷台に固定し、不整地を移動自在の植物破裁屑処理装置とすることができる。つまり傾斜のきつい山林に入って、間伐材などの処理にも用いることができる。【００２３】　以上の実施例では、菌タンク１０から可撓管１１を介して菌液がベルヌーイの定理によって吸い出され、供給管６を通過する破砕片に付着するものを示したが、これ以外に次のものが考えられる。例えば実施例４として図５に示すように医療機関で用いられる点滴の原理を採用し、所定量の菌液が菌タンク１６から供給管６内に滴下されるようにしてもよい。ここで２９はコックであり、移動の途中などに閉じて菌液が落ちることを防止する。【００２４】　図６に示すものは実施例５であり、これも菌液をタンクから重力で滴下するものであるが上記実施例４と相違するのは、菌液の滴下が破砕片の通過に従って発生するようにした点である。つまり図６に示すように菌タンク１７を供給管６に取り付け、供給管６内に弁棒１８及び作動片２７を突出させる。破砕片が供給管６内を通過する際に作動片２７を叩き、作動片２７が弁棒１８をスプリング２８の力に抗して上へ押し、弁棒１８の上端に接触しているボール弁１９が弁座２０から離れ、菌液が菌タンク１７から滴下する。【００２５】　図７に示すものは実施例６であり、これはポンプ２１によって菌タンク２２から菌液が供給管６内に供給されるようにしたものである。また供給管６の内部には風圧あるいは破砕片によって動作するスイッチ２３が設けられている。このスイッチ２３は破砕部１の発生する風圧や破砕片の衝突によってポンプ２１への電力の供給を行う。つまり、この部分に破砕片が通過した時に菌液が供給される。ポンプ２１としては自吸作用があって少量の液の供給に適したもの、例えばギヤポンプやスクイーズポンプが適する。【００２６】　そしてポンプ２１から圧送された菌液を噴霧ノズル２４から多量に噴霧するようにすると、破砕片が乾燥していても菌の発酵に必要な水分が供給され、発酵が短時間で進む。しかも破砕片がスイッチ２３をオンにした時だけ、噴霧ノズル２４から多量の菌液が出るため、菌液の無駄な噴霧がない。つまり被破砕物が乾燥していると発酵が進みにくいが、ポンプ２１から多量の菌液を供給することによって乾燥した被破砕物でも効果的に発酵を進めることができる。【００２７】　図８に示すものは実施例７であり、これは破砕部１からコンベア２４で破砕片が運ばれるものである。またこの実施例７のものは、破砕部１の出口で菌液が噴霧ノズル２６によって噴霧される。この実施例７のものは、コンベア２５の動作によって菌液が噴霧されるように、コンベア２５を駆動するモータの電源と共通電源で菌液ポンプを動作させるようにするとよい。この実施例のものも、多量の菌液を噴霧するようにすると、乾燥した破砕片であっても菌の発酵に十分な水分を与えることができる。【００２８】　図９に示すものは実施例８であり、図１及び図４に示される実施例の一部を代えたものである。つまり１は破砕部でありハウジング２の中に破砕歯３が設けられている点は図１及び図４に示される実施例と共通であるが、破砕歯３の前に一対のローラ３０、３１が設けられている。ローラ３１には作動棒３２が連結され、作動棒３２の上端はリミットスイッチ３３に対向している。そしてリミットスイッチは菌タンク１０、１６、１７、２２内に設置されたポンプ３４と接続されている。【００２９】　破砕部３に向かって被破砕物が挿入されるとローラ３１が上に上がり、作動棒３２も上に上がって、リミットスイッチ３３がオンとなる。これによってポンプ３４が動作を開始し、菌タンク１０、１６、１７、２２内の菌液を供給管６に供給する。つまり、破砕が開始されると菌液が供給されることになる。
【産業上の利用可能性】
【００３０】　植物屑を粉砕しながら粉砕片に発酵菌の付着ができ、粉砕片にまんべんなく発酵菌が付着するため、粉砕片に改めて発酵菌を付着させる作業が不要であり、剪定などで発生した植物屑を簡単に処分できる。【００３１】　以上の説明では枝打ちを行った後の木屑や雑草の刈り取った屑の処理について説明を行ったが、牧草を刈り取って発酵菌を付着させる場合にも本件考案のものを用いることができる。この場合も牧草を粉砕しながら発酵菌を付着させるため、発酵が極めて短時間に進み、サイロなどの大きさも小さくてよくなる。
【図面の簡単な説明】
【００３２】
【図１】植物破裁屑処理装置の実施例１を示した側面図である。
【図２】植物破裁屑処理装置の要部断面図である。（実施例１）
【図３】植物破裁屑処理装置の実施例２を示した側面図である。
【図４】植物破裁屑処理装置の実施例３を示した側面図である。
【図５】植物破裁屑処理装置の実施例４を示した側面図である。
【図６】植物破裁屑処理装置の実施例５を示した側面図である。
【図７】植物破裁屑処理装置の実施例６を示した側面図である。
【図８】植物破裁屑処理装置の実施例７を示した側面図である。
【図９】植物破裁屑処理装置の実施例８を示した側面図である。
【符号の説明】
【００３３】１　　破砕部
２　　ハウジング
３　　破砕歯
４　　油圧モータ
５　　固定歯
６　　供給管
７　　貯蔵庫
８　　菌付着部
９　　ノズル
１０、１６、１７、２２　　　菌タンク
１１　可撓管
１２　戻し管
１３、１４　トラック
１５　無限軌道車
１８　弁棒
１９　ボール弁
２０　弁座
２１　ポンプ
２３　スイッチ
２４、２６　噴霧ノズル
２５　コンベア
２７　作動片
２８　スプリング
２９　コック
３０、３１　ローラ
３２　作動棒
３３　リミットスイッチ
３４　ポンプ
【図１】
0003100528.tif 000003
【図２】
0003100528.tif 000004
【図３】
0003100528.tif 000005
【図４】
0003100528.tif 000006
【図５】
0003100528.tif 000007
【図６】
0003100528.tif 000008
【図７】
0003100528.tif 000009
【図８】
0003100528.tif 000010
【図９】
0003100528.tif 000011